(57)【要約】【課題】従来の金属ケースの接合箇所の耐トルクが不十分で堅固に締められない点を改善し、金属ケースの品質の向上、コネクタ全体の性能確保、平たん度の維持向上を図る。【解決手段】この金属ケースは、金属板のプレス、曲げ加工により、二自由端が接合され、プラグの挿入に用いられるハウジング構造であり、二自由端をそれぞれ第一自由端１１と第二自由端１２とし、第一自由端１１に貫通するスナップ孔が設けられ、第二自由端１２に曲げスナップ片が設けられて、曲げスナップ片がスナップ孔を通して、当該スナップ片の尻端部が第一自由端１１に堅固に締め付けられ連結される。【選択図】図２
0003175679.tif 000002
【実用新案登録請求の範囲】
【請求項１】
金属板のプレス、曲げ加工により、二自由端が接合され、プラグの挿入に用いられるハウジング構造であり、前記二自由端をそれぞれ第一自由端と第二自由端とし、前記第一自由端に貫通するスナップ孔が設けられ、前記第二自由端に曲げスナップ片が設けられて、前記曲げスナップ片が前記スナップ孔を通して、当該スナップ片の尻端部が前記第一自由端に堅固に連結されることを特徴とするコネクタの金属ケース。
【請求項２】
曲げスナップ片の尻端部は、スナップ孔の外へ突き出され、このスナップ孔から突き出された部分が折り返されて、第一自由端の外表面に締め付けられ、堅固に連結されることを特徴とする請求項１に記載のコネクタの金属ケース。
【請求項３】
曲げスナップ片の尻端部がリベット締めされた後、スナップ孔と締まりばめされ、堅固に連結されることを特徴とする請求項１に記載のコネクタの金属ケース。
【請求項４】
第一自由端にもまた曲げスナップ片が設けられ、これに対応して、第二自由端にもまたスナップ孔が設けられて、前記第一自由端にある曲げスナップ片が、前記第二自由端にあるスナップ孔を通して、当該曲げスナップ片の尻端部が前記第二自由端に堅固に締められることを特徴とする請求項３に記載のコネクタの金属ケース。
【請求項５】
第一自由端は曲げ後、内表面に収容凹槽が形成され、第二自由端は、当該収容凹槽内にかかり、第一自由端と重ねられるように設けられることを特徴とする請求項１に記載のコネクタの金属ケース。
【請求項６】
第一自由端と第二自由端との重なった部分の厚みは、金属ケースの金属板材の厚みの二倍より小さいものであることを特徴とする請求項５に記載のコネクタの金属ケース。
【請求項７】
第一自由端のスナップ孔は、収容凹槽の底面に設けられることを特徴とする請求項５に記載のコネクタの金属ケース。
【請求項８】
金属ケースは縦式ハウジング構造で、前側壁、後側壁、左側壁及び右側壁を備えてなり、第一自由端と第二自由端は、前記前側壁に設けられることを特徴とする請求項１に記載のコネクタの金属ケース。
【請求項９】
金属板のプレス、曲げ加工により、二自由端が接合され、プラグ挿入に用いられるハウジング構造であり、二自由端をそれぞれ第一自由端と第二自由端とし、前記第一自由端の内表面は、内から外へと凹所が凹接され、前記凹所は前後方の両側に沿って、ハウジングの壁面に接し、前記凹所の左右方向は壁面から離れており、前記第二自由端はスナップ片が設けられ、前記スナップ片が左右方向に沿って凹所を通り、その尻端部が凹所の横面に引っ掛けられるように設けられることを特徴とするコネクタの金属ケース。
【請求項１０】
スナップ片の尻端部には、外へ延ばされ、凹所の横面に引っ掛けるための曲げ片が設けられることを特徴とする請求項９に記載のコネクタの金属ケース。
【請求項１１】
スナップ片の尻端部には、凹所の横面にひっ掛けるための両耳が設けられることを特徴とする請求項９に記載のコネクタの金属ケース。
【請求項１２】
スナップ片は、尻端部に向けて次第に広がるように設けられ、これに対応して、凹所は、第一自由端の尻端部に向けて次第に縮小するように設けられることを特徴とする請求項９に記載のコネクタの金属ケース。
【請求項１３】
第一自由端と第二自由端には更に、相互に対応する蟻溝と蟻ほぞが設けられ、前記蟻ほぞは、これに対応する蟻溝に嵌め込まれることを特徴とする請求項９に記載のコネクタの金属ケース。
【請求項１４】
金属ケースは、前端開口と後端開口を有し、上側壁、下側壁、左側壁及び右側壁を備えてなり、第一自由端と第二自由端の接合箇所は、前記下側壁に設けられることを特徴とする請求項９に記載のコネクタの金属ケース。
【考案の詳細な説明】
【技術分野】
【０００１】
本考案は、コネクタの技術分野に関するもので、特に、堅固に連結し、優れた耐トルクがあり、堅固に締められる連結構造をなすコネクタの金属ケースに関する。
【背景技術】
【０００２】
技術の発展に伴い、各種の電子製品が急速に発展し、電子製品に広く電子コネクタが用いられている。例えば、高解像度マルチメディアインターフェース、即ちＨＤＭＩコネクタは、デジタルテレビや消費者電子製品のインターフェース基準として普及されている。このため、コネクタの品質の良し悪しは、関連の電子製品の使用効果に重要で、大きな影響を与えている。
【０００３】
特に、コネクタの金属ケースは、例えば、遮断、保護などの面で、製品の中でも非常に大きな役割を果たしている。したがって、この金属ケースの構造の安定性は、金属ケースに直接的な影響を与え、コネクタ全体の品質や性能にまで影響を及ぼす可能性がある。
【０００４】
従来の金属ケースはシームレスハウジング一体構造とシーム付きハウジング構造の二つがあり、そのうち、シームレスハウジング構造は、無接合構造の深絞り成形を用いた、安定した構造で、堅固に締められるという長所がある。この深絞り成形の場合、加工技術が難しく、設備コストが高く、製造工程が繁雑等の理由から、コストが高くなり、一方、無接合構造なので、伸縮性が不十分で、金属ケースの良好な保持力を確保しかねる、という上述のような二つの要素があることから、シームレスハウジング構造の金属ケースはコネクタに広く利用されていない。これに対して、シームありのハウジング構造の金属ケースは、加工技術が簡単で、製造コストが安く、広く利用されている。例えば、図１に示すように、金属ケース３００は、金属板がプレス、曲げ加工を経て、二自由端３０１、３０２が接合されてなるハウジング構造である。この接合構造は、金属ケース３００の側壁に設けられる、一般的な、蟻ほぞ３０３と蟻溝３０４の組合せである。
【考案の概要】
【考案が解決しようとする課題】
【０００５】
しかしながら、このようなシーム付きハウジング構造の場合、接合構造の耐トルクが弱く、不当な装着などにより、特にトルクが比較的大きい場合は、締められなくなり、そこで、差込口インターフェース３０５が広げられ、コネクタの構造や性能が不安定になる場合が多く見られる。例えば、コネクタと外掛けプログラムとの接続効果や、金属ケース３００の遮断効果にマイナスな影響を与えたりする。もちろん、二自由端の尻端部を重ねて、その重ねた部分を溶接して行われる場合もあるが、溶接過程で不具合が生じやすく、この溶接過程も比較的手間がかかり、製造コストが高いうえに、実際に使用しているときに、溶接箇所に緩みがよく現れ、それが製品の品質に大きな影響を与えることがある。
【０００６】
本考案は、このような従来の技術に存在する欠点について鑑みなされたもので、堅固に連結し、優れた耐トルクがあり、堅固に締められる連結構造をなすコネクタの金属ケースを提供すること、を目的とする。
【課題を解決するための手段】
【０００７】
上記目的を達成するために、本考案のコネクタの金属ケースは、金属板のプレス、曲げ加工を行い、二自由端が接合し、プラグの挿入に用いられるハウジング構造であり、二自由端はそれぞれ第一自由端と第二自由端であり、該第一自由端には貫通したスナップ孔、第二自由端には曲げスナップ片が設けられ、該曲げスナップ片はスナップ孔を通って、尻端部が第一自由端に堅固に連結されていることを特徴とする。
また、この金属ケースは、各部が次のように具体化されることが好ましい。
（１）該曲げスナップ片の尻端部は、スナップ孔の外へ突き出し、突き出たスナップ孔の部分を折り返して、第一自由端の外表面に締め付けられ、堅固に連結されている。
（２）該曲げスナップ片の尻端部をリベット締めた後、スナップ孔と締まりばめされ、堅固に連結されている。
（３）上記（２）において、該第一自由端にも曲げスナップ片が設けられ、それに対応するため、第二自由端にもスナップ孔が設けられているが、該第一自由端にある曲げスナップ片は、第二自由端にあるスナップ孔を通って、尻端部が第二自由端に堅固に締められている。
（４）該第一自由端は曲げ後、内表面には収容凹槽が形成され、該第二自由端は、該収容凹槽内にかかり、第一自由端と重なるように設けられている。
（５）上記（４）において、該第一自由端と第二自由端との重なった部分の厚みは、金属ケースの金属板材の厚みの二倍より小さいものである。
（６）上記（４）において、該第一自由端のスナップ孔は、該収容凹槽の底面に設けられている。
（７）該金属ケースは縦式ハウジング構造で、前側壁、後側壁、左側壁と右側壁を備えてなり、該第一自由端と第二自由端は、該前側壁に設けられている。
【０００８】
また、上記目的を達成するために、本考案のコネクタの金属ケースは、金属板のプレス、曲げ加工を行って、二自由端が接合し、プラグ挿入に用いられるハウジング構造であり、二自由端はそれぞれ第一自由端と第二自由端であり、第一自由端の内表面は、内から外へと凹所が凹接され、該凹所は前後方の両側に沿って、ハウジングの壁面に接し、該凹所の左右方向は壁面から離れており、第二自由端にはスナップ片が設けられ、該スナップ片は左右方向に沿って凹所を通って、その尻端部が凹所の横面に引っかかるように設けられていることを特徴とする。
また、この金属ケースは各部が次のように具体化されることが好ましい。
（１）該スナップ片の尻端部には、外へ伸ばされ、凹所の横面に引っかかるための曲げ片が設けられている。
（２）該スナップ片の尻端部には、該凹所の横面にひっかかるための両耳が設けられている。
（３）該スナップ片は、尻端部に向けて次第に広がるように設けられ、それに対応するため、該凹所の第一自由端に向けている尻端部は、次第に縮小するように設けられている。
（４）該第一自由端と第二自由端には更に、相互に対応する蟻溝と蟻ほぞが設けられ、該蟻ほぞは、それに対応する蟻溝に嵌め込まれている。
（５）該金属ケースは、前端開口と後端開口を有し、上側壁、下側壁、左側壁と右側壁を備えてなり、第一自由端と第二自由端の接合箇所は、該下側壁に設けられている。
【考案の効果】
【０００９】
本考案は、上述の二技術案を使用しており、第二自由端に曲げスナップ片が設けられ、該曲げスナップ片はまず、スナップ片とスナップラッチが締め合い、それに、曲げスナップ片の曲げ部は、第一自由端にあるスナップラッチを組み合わせて、より堅固に連結され、第一自由端と第二自由端との堅固な連結を確保できること、その上、該接合構造は、優れた耐トルクがあり、従来の技術による金属ケースの接合箇所に耐トルクが不十分で、締められないことを避けられ、コネクタの金属ケースの品質向上、コネクタ全体の性能確保、よりよい平たん度維持にもつながる。
【図面の簡単な説明】
【００１０】
【図１】従来のコネクタの金属ケースの斜視図
【図２】本考案の第１の実施の形態による金属ケースの（正面側から見た）斜視図
【図３】同金属ケースの（上面側から見た）斜視図
【図４】同金属ケースの二自由端の連結構造を示す断面図
【図５】同金属ケースの二自由端の連結構造の特に加工状態を示す断面図
【図６】本考案の第２の実施の形態による金属ケースの（正面側の斜め上方から見た）斜視図
【図７】同金属ケースの（上面側から見た）斜視図
【図８】同金属ケースの二自由端の連結構造を示す断面図
【図９】同金属ケースの二自由端の連結構造を示す部分拡大斜視図
【図１０】本考案の第３の実施の形態による金属ケースの（下面側から見た）斜視図
【図１１】同金属ケースの（正面側の斜め上方から見た）斜視図
【図１２】同金属ケースの要部（図１０における要部）を拡大して示す斜視図
【図１３】同金属ケースの要部（図１０における要部）を拡大して示す斜視図
【図１４】同金属ケースの要部（図１１における要部）を拡大して示す斜視図
【図１５】同金属ケースの要部（図１０に示すＮ−Ｎ箇所）を示す断面図
【図１６】同金属ケースの要部（図１１に示すＣ−Ｃ箇所）を示す断面図
【考案を実施するための形態】
【００１１】
本考案は、金属ケースの連結方式に関する技術であり、この連結方式は、大まかに言えば、金属ケースの有する二自由端がそれぞれ、一方を第一自由端とし他方を第二自由端とすると、第一自由端にスナップラッチが設けられ、第二自由端にスナップラッチに合わせる曲げスナップ片が設けられて、これらスナップラッチと曲げスナップ片によって、堅固に締め付けられる接合構造をなすものである。
以下、図面を参照して、本考案について詳しく説明する。
【００１２】
図２〜図５に、本考案の第１の実施の形態としての具体的構造を示している。図２及び図３に示すように、金属ケースは縦式ハウジング構造で、金属板のプレス、曲げ加工を行って、上端開口と下端開口とを有し、前側壁１０、後側壁、左側壁及び右側壁を備えてなり、左側壁と右側壁はそれぞれ一体化して二ピン１３が延ばされ、後側壁の上縁に一体的に連結板１４が曲げて設けられるとともにこの連結板１４にねじ締め孔が設けられており、二自由端、すなわち、第一自由端１１と第二自由端１２の接合箇所は前側壁１０に設けられ、第一自由端１１と第二自由端１２が重ねられて接合される。
【００１３】
この金属ケースにあっては、第一自由端のスナップラッチは、貫通したスナップ孔１１２で、第二自由端に曲げスナップ片１２１が設けられ、この曲げスナップ片１２１がスナップ孔１１２に通されて、曲げスナップ片１２１の曲げ部とスナップ孔１１２によって締め付けられ、堅固に連結される。
【００１４】
具体的に言えば、図４及び図５に示すように、第一自由端１１は曲げ後、内表面には収容凹槽１１１が形成され、この収容凹槽１１１の底部に第一自由端１１を貫通するスナップ孔１１２が設けられ、第二自由端１２に曲げスナップ片１２１が設けられ、第二自由端１２が収容凹槽１１１内にかかり、重ねられる。また、出来るだけ製品全体の厚みを薄くするため、ここでは、第一自由端１１または第二自由端１２の厚みを薄くして、これにより、第一自由端１１と第二自由端１２の重なった部分の厚みＡを、金属ケースの金属板材の厚みＢの二倍よりも小さくしてある。
また、曲げスナップ片１２１はスナップ孔１１２を通して、その尻端部がスナップ孔１１２の外へ突き出され、このスナップ孔１１２から突き出された部分が折り返されて、第一自由端１１の外表面に締め付けられ、堅固に連結される（図５と図３参照）。
この実施の形態おいては、スナップ孔１１２の数は２個、これに対応して、曲げスナップ片１２１の数も２個とし、２個の曲げスナップ片１２１がそれぞれ対応するスナップ孔１１１内に締め付けられる。また、同様に、出来るだけ製品全体の厚みを薄くするため、曲げスナップ片１２１の尻端部を折り返して、第一自由端１１の外壁面に張り合わせるようにし、それから、プレスを行って、張り合わせた厚みを薄くしている。
【００１５】
図６〜図９に、本考案の第２の実施の形態としての具体的構造を示している。この実施の形態で第１の実施の形態と異なるのは、コネクタの金属ケースにある第一自由端２１と第二自由端２２の接合構造の違いである。
具体的に言えば、第一自由端１１に曲げスナップ片１１３が増設され、それに合わせて、第二自由端１２にスナップ孔１２２が増設され、これらの曲げスナップ片１１３がスナップ孔１２２内を通して、各尻端部がリベット締めされたあと、スナップ孔１２２と締まりばめされて、堅固に連結される。ここで特筆すべきことは、第一自由端１１の曲げスナップ片１１３と第二自由端１２上の曲げスナップ片１２１の尻端部がいずれも、リベット締めされたあと、スナップ孔１１２、１２２と締まりばめになることである。
【００１６】
また、この金属ケースでは、縦式ハウジング構造に限らず、横式ハウジング構造でもよいこと、第一自由端と第二自由端の設置箇所は、前側壁に限らず、その他の側壁でもよいこと、収容凹槽は、第一自由端を曲げてなるものに限らず、第二自由端を曲げてなるものでもよく、その場合、第一自由端が収容凹槽内にかかり、重なるようになることなど、種々に変更が可能である。
【００１７】
図１０〜図１６に、本考案の第３の実施の形態としての具体的構造を示している。この実施の形態では、横式コネクタの金属ケースを例示して説明する。また、この説明での方向に関する定義づけはすべて図１１に示すとおりでこれに従っており、説明中の方向については図１１を参照されたい。金属ケースは、前端開口と後端開口を有し、上側壁、下側壁２０、左側壁及び右側壁を備えてなり、第一自由端２１と第二自由端２２の接合箇所は下側壁２０に設けられる。
【００１８】
図１２〜図１６に示すように、この金属ケースでは、スナップラッチは、第一自由端２１の内表面に内から外へ凹設された凹所２１１であり、この凹所２１１は、前後方の両側に沿って、第一自由端のハウジングの下壁面２０に接し、凹所２１１の左右方向は、下壁面２０から離れており、曲げスナップ片２２１は左右方向に沿って凹所２１１を通って、その尻端部の曲げ部が凹所２１１の横面にひっかかるように設けられる。
【００１９】
凹所２１１は、左から右へと次第に広がるように設けられる。第二自由端２２にはスナップ片２２１が設けられているが、このスナップ片２２１の幅は、凹所２１１に合わせて、尻端部に向けて次第に広がるように設けられる。このスナップ片の尻端部には、曲げ片２２１１と両耳２２１２があり、スナップ片２２１は凹所２１１を通ったあと、曲げ片２２１１と両耳２２１２がどれも凹所２１１の右横面にひっかかるようになっている（両耳２２１２または曲げスナップ片２２１１の何れかの一つだけ設けてもよいが、ここではそれに限らない）。ここで特筆すべきことは、スナップ片２２１は、尻端部に向けて次第に広がるように設けられており、それに合わせて、凹所２１１は、スナップ片に合わせて、第一自由端の尻端部に向けて次第に縮小するように設けられている構造である。
【００２０】
なお、この金属ケースでは、第一自由端２１と第二自由端２２には更に、相互に対応する蟻ほぞ２０１と蟻溝２０２が設けられ、蟻ほぞ２０１はそれに対応する蟻溝２０２内に嵌め込まれている（図１２）。
【００２１】
以上説明したように、本考案のコネクタの金属ケースでは、二自由端（第一自由端と第二自由端）を相互に接合するときに、二自由端の一方に設けた曲げスナップ片と他方に設けたスナップラッチによって、スナップ結合させるようにしたので、第一自由端と第二自由端とを堅固に連結して、この接合構造に優れた耐トルクを持たせることができる。
したがって、この金属ケースによれば、従来の技術による金属ケースの接合箇所の耐トルクが不十分で、堅固に締められない点を改善し、金属ケースの品質の向上、コネクタ全体の性能確保、よりよい平たん度の維持向上を図ることができる。
【００２２】
以上は、本考案の好適な実施の形態であり、それを以って、本考案の技術範囲を制限してはならないとし、本考案のいかなる修正を行って、その変化や改造を行って、それと同様な効果を得ても、すべて本考案の実用新案登録請求の範囲に含まれるものとする。
【符号の説明】
【００２３】
１０  前側壁
１１  第一自由端
１１１  収容凹槽
１１２  スナップ孔
１１３  曲げスナップ片
１２  第二自由端
１２１  曲げスナップ片
１２２  スナップ孔
１３  ピン
１４  連結板
２０  下側壁
２１  第一自由端
２１１  凹所
２２  第二自由端
２２１  スナップ片
２２１１  曲げ片
２２１２  耳
２０１  蟻ほぞ
２０２  蟻溝
【図１】
0003175679.tif 000003
【図２】
0003175679.tif 000004
【図３】
0003175679.tif 000005
【図４】
0003175679.tif 000006
【図５】
0003175679.tif 000007
【図６】
0003175679.tif 000008
【図７】
0003175679.tif 000009
【図８】
0003175679.tif 000010
【図９】
0003175679.tif 000011
【図１０】
0003175679.tif 000012
【図１１】
0003175679.tif 000013
【図１２】
0003175679.tif 000014
【図１３】
0003175679.tif 000015
【図１４】
0003175679.tif 000016
【図１５】
0003175679.tif 000017
【図１６】
0003175679.tif 000018